【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
電荷輸送若しくは発光高分子網状構造を形成するための光重合可能若しくは光架橋可能な反応性メソゲンであって、前記メソゲンは非対称構造（ＩＩ）：
Ｂ1−Ｓ1−Ａ1−Ｍ−（Ａ−Ｓ−Ｂ）n              （ＩＩ）
を有し、
ここで：
ＡおよびＡ1は発色団であり；
ＳおよびＳ1はスペーサーであり；
ＢおよびＢ1は光重合若しくは光架橋に感受性である末端基であり；
Ｍは発色団以外の脂肪族、脂環式若しくは芳香族部分であり；ならびに
ｎは１から１０までの整数であり、
ここで、ｎの値が１より大きい場合は、基Ａ、ＳおよびＢのそれぞれが同一若しくは異なってよく、かつ、ｎが場合によっては２から６までの値を有する、上記メソゲン。
【請求項２】
Ｍが式Ｙ−Ｚmのものであり、ここでＹは脂肪族、脂環式、芳香族若しくは複素環部分であり、Ｚは脂肪族結合基であり、およびｍは２から４までの整数であり、ならびにＺ基のそれぞれは同一若しくは異なってよい、請求項１に記載の光重合可能若しくは光架橋可能な反応性メソゲン。
【請求項３】
以下の条件すなわち
（ａ）前記基ＡおよびＡ1がフルオレン、ビニレンフェニレン、アントラセン、ペリレンおよびそれらの誘導体から選択され；ならびに／または
（ｂ）前記基ＳおよびＳ1が、飽和若しくは不飽和であることができかつ直鎖状若しくは分枝状であってよい脂肪族、アミン、エステル若しくはエーテル結合から選択され；ならびに／または
（ｃ）前記基ＢおよびＢ1が、脂肪族、エーテル若しくはアミン結合により分離されていてよい、１，４、１，５および１，６ジエン、クマリンならびにシンナメートから選択される、
の最低１つが当てはまる、請求項１若しくは２に記載の光重合可能若しくは光架橋可能な反応性メソゲン。
【請求項４】
基Ｍが式Ｙ−Ｚmの多価結合基であり、ここでＹは多価コア分子であり、そして各Ｚ基は結合基であり、およびＺ基は同一若しくは異なってよく、基Ｍは場合によっては二、三若しくは四価の結合基であり、かつＹは二、三若しくは四価コア分子であり、コア分子Ｙは場合によっては芳香族、複素環若しくは脂環式環系を含んでなり、ならびに基Ｚは場合によっては脂肪族結合基を含んでなる、請求項１、２若しくは３に記載の光重合可能若しくは光架橋可能な反応性メソゲン。
【請求項５】
４００から２，０００までの分子量を有する請求項１ないし４のいずれか１つに記載の光重合可能若しくは光架橋可能な反応性メソゲン。
【請求項６】
発光若しくは電荷輸送高分子網状構造を形成するための材料であって、前記材料は電荷輸送若しくは発光高分子網状構造を形成するための光重合可能若しくは光架橋可能な反応性メソゲンを含んでなり、前記メソゲンは非対称構造（ＩＩ）：
Ｂ1−Ｓ1−Ａ1−Ｍ−（Ａ−Ｓ−Ｂ）n              （ＩＩ）
ここでＡ、Ａ1、Ｓ、Ｓ1、Ｂ、Ｂ1、Ｍおよびｎは上で定義されたとおりである、
を有し、前記材料が場合によっては最低１個の付加的な光重合可能若しくは光架橋可能な反応性メソゲンを含んでなり、前記最低１個の付加的な光重合可能若しくは光架橋可能な反応性メソゲンが、場合によっては式（Ｉ）：
Ｂ−Ｓ−Ａ−Ｓ−Ｂ                      （Ｉ）
を有し、
ここで：
Ａは発色団であり；
Ｓはスペーサーであり；そして
Ｂは光重合若しくは光架橋に感受性である末端基である、上記材料。
【請求項７】
請求項６に記載の材料の重合若しくは架橋により得られる電荷輸送若しくは発光高分子網状構造であって、前記高分子網状構造が場合によっては４，０００より上、場合によっては４，０００から１５，０００までの範囲の分子量を有し、かつ、場合によっては５から５０個までの単量体単位を含んでなり、ならびに、前記高分子網状構造が場合によっては発光エレクトロルミネッセンス性高分子、ホール輸送高分子若しくは電子輸送高分子を含んでなる、上記高分子網状構造。
【請求項８】
請求項７に記載の高分子網状構造の製造方法であって、前記方法は、最低１個の反応性メソゲンの適する末端基の光重合若しくは光架橋を介する該最低１個のメソゲンを含んでなる前記材料の重合若しくは架橋を含んでなり、前記電荷輸送若しくは発光高分子網状構造が、場合によっては、式（ＩＩ）：
Ｂ1−Ｓ1−Ａ1−Ｍ−（Ａ−Ｓ−Ｂ）n              （ＩＩ）
ここでＡ、Ａ1、Ｓ、Ｓ1、Ｂ、Ｂ1、Ｍおよびｎは上で定義されたとおりである、
を有する反応性メソゲンを含んでなる組成物の光重合若しくは光架橋により得られ、かつ、前記方法が、架橋された高分子バックボーンにより間隔を空けられた発色団の配置を含んでなる非対称発光高分子を提供する、上記方法。
【請求項９】
前記方法が、請求項１ないし５のいずれか１つに記載の最低１個の反応性メソゲンおよび最低１個の付加的な光重合可能若しくは光架橋可能なメソゲンからの高分子の製造を含んでなり、前記方法は該メソゲンの適する末端基の光重合若しくは光架橋を介する前記反応性メソゲンの重合若しくは架橋を含んでなる、請求項８に記載の方法。
【請求項１０】
前記光重合若しくは光架橋が光開始剤を実質的に含まず、場合によっては完全に含まず実施され、前記方法が場合によっては室温で実施され、ならびに前記方法が場合によっては感光染料でのドーピングを付加的に含んでなる、請求項８若しくは９に記載の方法。
【請求項１１】
電荷輸送若しくは発光高分子網状構造の表面への適用方法であって、前記方法は、請求項６に記載の材料を前記表面に適用すること、および前記材料を元の場所で光重合若しくは光架橋して電荷輸送若しくは発光高分子網状構造を形成することを含んでなり、前記材料がスピンコーティング技術によって前記表面に場合によっては適用され、前記材料が場合によっては溶液からスピンコーティングされ、ならびに前記表面が場合によっては光配向層を含んでなる、上記方法。
【請求項１２】
前記光配向層が、可撓性スペーサー実体により側鎖高分子バックボーンに結合されている発色団を含んでなり、前記発色団が場合によってはシンナメート若しくはクマリンから選択され、ならびに前記可撓性スペーサーが場合によっては脂肪族、アミン若しくはエーテル結合から選択される、請求項１１に記載の方法。
【請求項１３】
電荷輸送若しくは発光高分子網状構造が光配向層上に配向されかつ不溶性のネマチック高分子網状構造の形態にある、請求項１２に記載の方法。
【請求項１４】
感光染料でのドーピングを付加的に含んでなる、請求項１２若しくは１３に記載の方法。
【請求項１５】
請求項７に記載の最低１種の高分子から形成される高分子層を含んでなる装置。
【請求項１６】
請求項１３、１４若しくは１５のいずれか１つに記載の方法により得られる請求項１５に記載の装置。
【請求項１７】
最低１個のキャリア輸送層を含んでなる請求項１５若しくは１６に記載の装置。
【請求項１８】
マルチカラーエミッターを含んでなるか、若しくは電子機器、発光装置、有機発光装置、照明素子、有機電界効果トランジスタ、太陽光発電およびレーザーから選択されるか、若しくは前記高分子網状構造が場合によってはリン光エミッターのホストとして使用される、請求項１５、１６若しくは１７に記載の装置。
【請求項１９】
請求項７に記載の電荷輸送若しくは発光高分子網状構造を含んでなるバックライト若しくはディスプレイ。
【請求項２０】
請求項１９に記載のディスプレイを含んでなる、携帯電話、携帯型コンピュータ、腕時計、掛け時計、ゲーム機若しくはセキュリティビュアー。